(57)【要約】  【課題】操作切替バルブのメンテナンスや工具の出し入れの作業性を向上させ、且つ、開閉カバーの個数を削減でき、空間部の有効活用が図られるようにする。【解決手段】上部旋回体３上にキャブ４が搭載され、該キャブ４の床部材１１と前記上部旋回体３の旋回フレーム１２との間に空間部Ｓが形成され、該空間部Ｓをサイドパネル１５により施蓋して成る建設機械の開閉カバー装置であって、前記空間部Ｓに操作切替バルブ１３及び工具収納ボックス１４を設置すると共に、前記サイドパネル１５における操作切替バルブ１３及び工具収納ボックス１４と対応する箇所に開口部１６を形成し、該開口部１６に開閉カバー１７を取り付けた。【選択図】図３
2010168870.tif 000002
【特許請求の範囲】
【請求項１】
上部旋回体上にキャブが搭載され、該キャブの床部材と前記上部旋回体の旋回フレームとの間に空間部が形成され、且つ、該空間部がサイドパネルにより施蓋された建設機械の開閉カバー装置において、前記空間部に操作切替バルブ及び工具収納ボックスを設置すると共に、前記サイドパネルにおける前記操作切替バルブ及び工具収納ボックスと対応する箇所に開口部を形成し、該開口部に開閉カバーを取り付けたことを特徴とする建設機械の開閉カバー装置。
【請求項２】
上記サイドパネルの開口部の周縁にはウエザーストリップが取り付けられていることを特徴とする請求項１記載の建設機械の開閉カバー装置。
【発明の詳細な説明】
【技術分野】
【０００１】
本発明は建設機械の開閉カバー装置に関するものであり、特に、キャブの床部材と上部旋回体の旋回フレームとの間の空間部をサイドパネルにより施蓋して成る建設機械の開閉カバー装置に関するものである。
【背景技術】
【０００２】
従来、此種油圧ショベル等の建設機械においては、上部旋回体上にエンジンや油圧機器等が搭載されていると共に、エンジンや油圧機器を保護するためのハウスカバーが設けられている。例えば、油圧機器である操作切替バルブは、ハウスカバー内の油圧機器用の設置スペースに設けられている。又、スパナ等の工具を収納するための工具収納ボックスは、上部旋回体の前部又は側部に形成された空間部に設置され、該空間部が開閉カバーにより施蓋されている（例えば、特許文献１参照）。
【特許文献１】特開２００４−１９０７４６公報
【発明の開示】
【発明が解決しようとする課題】
【０００３】
上記従来技術では、ハウスカバーにおける操作切替バルブと対応する箇所には点検用の開口部が設けられていると共に、該開口部には開閉カバーが取り付けられている。そのため、操作切替バルブ用の開閉カバーと工具収納ボックス用の開閉カバーを別々に製作しなければならないので、開閉カバーの製作コストが高騰するという問題があった。
【０００４】
更に、操作切替バルブや工具収納ボックスの設置箇所周囲には、各種機器が多数配置されているために、操作切替バルブのメンテナンス（部品の着脱・交換作業を含む）や工具収納ボックスへの工具出し入れ作業が困難であるという問題があった。
【０００５】
又、建築機械においては、近年、上部旋回体上に転倒時運転者保護構造型のキャブを搭載し、該キャブの床部材と上部旋回体の旋回フレームとの間に空間部を形成したものが開発されているが、該空間部は有効に活用されていないのが実情である。
【０００６】
そこで、操作切替バルブのメンテナンスや工具の出し入れの際の作業性を向上させるとともに開閉カバーの個数を削減でき、且つ、上記床部材と旋回フレームとの間の空間部を有効に活用するために解決すべき技術的課題が生じてくるのであり、本発明はこの課題を解決することを目的とする。
【課題を解決するための手段】
【０００７】
本発明は、上記目的を達成するために提案されたものであり、請求項１記載の発明は、上部旋回体上にキャブが搭載され、該キャブの床部材と前記上部旋回体の旋回フレームとの間に空間部が形成され、且つ、該空間部がサイドパネルにより施蓋された建設機械の開閉カバー装置であって、前記空間部に操作切替バルブ及び工具収納ボックスを設置すると共に、前記サイドパネルにおける前記操作切替バルブ及び工具収納ボックスと対応する箇所に開口部を形成し、該開口部に開閉カバーを取り付けて成る建設機械の開閉カバー装置を提供する。
【０００８】
この構成によれば、該操作切替バルブ及び工具収納ボックスと対応するサイドパネルの開口部に開閉カバーが取り付けられているので、開閉カバーを開放すると、操作切替バルブ及び工具収納ボックスが開口部から外部に露呈される。依って、作業者はサイドパネルの外側にて自由な姿勢で操作切替バルブのメンテナンスや工具収納ボックスへの工具出し入れを実行できる。
【０００９】
請求項２記載の発明は、上記サイドパネルに形成した開口部の周縁にはウエザーストリップが取り付けられている請求項１記載の建設機械の開閉カバー装置を提供する。
【００１０】
この構成によれば、サイドパネルの開口部の周縁にウエザーストリップを取り付けたので、開口部を開閉カバーで閉鎖すると、該開口部と開閉カバーの間から雨水がサイドパネル内に浸入することが阻止される。
【発明の効果】
【００１１】
請求項１記載の発明は、作業者はサイドパネルの外側にて自由な姿勢で操作切替バルブのメンテナンスや工具収納ボックスへの工具出し入れを容易に実行できるので、前記メンテナンス時又は工具出し入れ時における作業性が著しく向上する。
【００１２】
又、開閉カバーは操作切替バルブ及び工具収納ボックスに対して共通の蓋体として機能する。依って、従来例では２つ必要とした開閉カバーは１つで済むので、該開閉カバーの個数を削減できるとともに、開閉カバーの製作コストを半分以下に低減させることができる。
【００１３】
キャブの床部材と上部旋回体の旋回フレームとの間の空間部（従来例のデッドスペース）に操作切替バルブ及び工具収納ボックスを設置したことにより、前記空間部の有効活用が可能になる。
【発明を実施するための最良の形態】
【００１４】
本発明は操作切替バルブのメンテナンスや工具の出し入れの作業性を向上させ、且つ、開閉カバーの個数を削減でき、空間部の有効活用を図るという目的を達成するために、上部旋回体上にキャブが搭載され、該キャブの床部材と前記上部旋回体の旋回フレームとの間に空間部が形成され、且つ、該空間部がサイドパネルにより施蓋された建設機械の開閉カバー装置において、前記空間部に操作切替バルブ及び工具収納ボックスを設置すると共に、前記サイドパネルにおける前記操作切替バルブ及び工具収納ボックスと対応する箇所に開口部を形成し、該開口部に開閉カバーを取り付けたことにより実現した。
【実施例】
【００１５】
以下、本発明の好適な一実施例を図面に従って説明する。図１は、本発明を適用した建設機械としての油圧ショベル１の側面図を示す。同図において、下部走行体２上には上部旋回体３が旋回自在に搭載され、該上部旋回体３の前方一側部にキャブ４が載置されている。また、上部旋回体３の前方中央部には作業機が載置され、該作業機はブーム５，アーム６，バケット７並びに各種駆動用シリンダ８，９，１０により構成されている。
【００１６】
前記ブーム５は上部旋回体３の前方中央部に俯仰可能に取り付けられ、該ブーム５の先端部にアーム６が上下回動可能に枢着されている。更に、アーム６の先端部にバケット７が上下回動可能に枢着されている。
【００１７】
図２はキャブ４の斜視図であり、該キャブ４は  万一、建設機械が転倒した場合でも、キャブ４内のオペレータを安全に保護し得るように転倒時運転者保護構造が採用されている。即ち、キャブ４の床部材１１は、減衰機構（図示せず）により旋回フレーム１２上にフロート状態で支持されていると共に、床部材１１の後部と旋回フレーム１２とは、高強度のボルト（図示せず）により締結固定されている。
【００１８】
図３に示すように、床部材１１と旋回フレーム１２との間には空間部Ｓが形成されている。そして、空間部Ｓにおける前方部（図３の左方部）には操作切替バルブ１３が設置されていると共に、操作切替バルブ１３の後方側（図３の右方側）には工具収納ボックス１４が設置されている。
【００１９】
前記操作切替バルブ１３は、各種油圧アクチュエータ（図示せず）に対する油路を切り換えるためのバルブであって、各種油圧クチュエータと油圧ポンプ（図示せず）との間に配設されている。又、工具収納ボックス１４はスパナ等の工具類を収納するための箱体であって、大型の工具を収納できるように比較的大きな収納スペースを有している。
【００２０】
更に、前記床部材１１と旋回フレーム１２との間の空間部Ｓはサイドパネル１５により被蔽され、該サイドパネル１５は、床部材１１及び旋回フレーム１２の外側面に脱着可能に装着されている。そして、サイドパネル１５の所定箇所には横長形状の開口部１６が形成され、該開口部１６は上記操作切替バルブ１３及び工具収納ボックス１４と対応する箇所に設けられている。
【００２１】
又、前記開口部１６は開閉カバー（ドアカバー）１７により施蓋され、該開閉カバー１７には施錠装置１８が設けられている。さらに、施錠装置１８は回動式のロックバー１９を有し、該ロックバー１９をキー操作により回動変位させることにより、開閉カバー１７をロック解除して開放できるように構成されている。
【００２２】
以上説明した如く本発明によると、キャブ４の床部材１１と上部旋回体４の旋回フレーム１２との間の空間部Ｓに操作切替バルブ１３及び工具収納ボックス１４が設置され、且つ、操作切替バルブ１３及び工具収納ボックス１４と対応するサイドパネル１５の開口部１６に開閉カバー１７が取り付けられている。
【００２３】
而して、開閉カバー１７を開放すると、サイドパネル１５の開口部１６から操作切替バルブ１３及び工具収納ボックス１４が外部に露呈される。斯くして、作業者はサイドパネル１５の外側にて自由な作業姿勢で、操作切替バルブ１３のメンテナンス作業や工具収納ボックス１４への工具出し入れ作業を容易に行うことができる。従って、操作切替バルブ１３のメンテナンス時、或いは、工具収納ボックス１４への工具出し入れ時における作業性が著しく向上する。
【００２４】
更に、開閉カバー１７は操作切替バルブ１３及び工具収納ボックス１４に対して共通の蓋体として機能するので、開閉カバー１７の数は１つで済む。そのため、従来例に比べて開閉カバー１７の個数を削減できるとともに、開閉カバー１７の製作コストが大幅に低減する。
【００２５】
更に又、操作切替バルブ１３及び工具収納ボックス１４は、キャブ４の床部材１１と上部旋回体３の旋回フレーム１２との間の空間部Ｓ、即ち、従来例のデッドスペースに設置したので、該空間部Ｓの有効活用が可能になる。
【００２６】
本実施例では、サイドパネル１５に形成した開口部１６の周縁にはウエザーストリップ（図示せず）を取り付けることができる。このように構成すると、開口部１６を開閉カバー１７で閉鎖した状態では、開口部１６と開閉カバー１７の間からサイドパネル１５内の空間部Ｓに雨水が浸入することを阻止できる。従って、雨水による操作切替バルブ１３及び工具収納ボックス１４の発錆や腐食を効果的に防止することができる。
【００２７】
なお、本発明は、本発明の精神を逸脱しない限り種々の改変を為すことができ、そして、本発明が該改変されたものに及ぶことは当然である。
【図面の簡単な説明】
【００２８】
【図１】本発明の一実施例を示し、建設機械としての油圧ショベルの全体側面図。
【図２】一実施例に係る開閉カバー装置を示す斜視図。
【図３】図２の要部構造を説明する拡大詳細図。
【符号の説明】
【００２９】
１    油圧ショベル（建設機械）
３    上部旋回体
４    キャブ
１１  床部材
１２  旋回フレーム
１３  操作切替バルブ
１４  工具収納ボックス
１５  サイドパネル（サイドカバー）
１６  開口部
１７  開閉カバー（ドアカバー）
Ｓ    空間部
【図１】
2010168870.tif 000003
【図２】
2010168870.tif 000004
【図３】
2010168870.tif 000005